(57)【特許請求の範囲】
【請求項１】
楽曲情報および映像情報を再生する再生手段が備えられた楽音再生装置において、
前記楽音再生装置を用いる者の客層を示す客層情報と、前記客層に基づいて設定された時間帯とを対応付けて設定した設定手段と、
所定の時間帯になったときに、その所定の時間帯に対応する客層情報を前記設定手段から検出し、その検出された客層情報と対応付けられたサービス情報を再生するサービス情報再生手段と、
が備えられたことを特徴とする楽音再生装置。
【請求項２】
前記サービス情報再生手段は、前記サービス情報を前記所定の時間帯において前記楽曲情報のうちの所定の楽曲情報の再生が終了したときに再生するものであることを特徴とする請求項１に記載の楽音再生装置。
【請求項３】
前記サービス情報再生手段は、前記サービス情報を前記所定の時間帯において前記楽曲情報が所定の時間再生されないときに再生するものであることを特徴とする請求項１に記載の楽音再生装置。
【請求項４】
前記サービス情報を前記所定の時間帯内で再生する頻度を設定する再生頻度設定手段が備えられたことを特徴とする請求項１ないし請求項３のいずれか１つに記載の楽音再生装置。
【請求項５】
前記設定手段の設定内容を変更する設定内容変更手段が備えられたことを特徴とする請求項１ないし請求項４のいずれか１つに記載の楽音再生装置。
【請求項６】
前記再生手段を遠隔操作する遠隔操作手段が備えられており、
この遠隔操作手段には、前記設定内容変更手段が設けられたことを特徴とする請求項５に記載の楽音再生装置。
【請求項７】
前記サービス情報は、記録媒体に記録されており、
前記サービス情報再生手段は、前記記録媒体に記録された前記サービス情報を時間帯別に再生するものであることを特徴とする請求項１ないし請求項６のいずれか１つに記載の楽音再生装置。
【請求項８】
前記楽曲情報および映像情報のうち少なくとも１つが前記記録媒体に記録されており、
前記再生手段は、前記楽曲情報および映像情報のうち少なくとも１つを前記記録媒体から読み出して再生するものであることを特徴とする請求項７に記載の楽音再生装置。
【請求項９】
前記楽曲情報を通信回線を介して受信する楽曲情報受信手段が備えられており、
前記再生手段は、前記楽曲情報受信手段により受信された楽曲情報を再生するものであることを特徴とする請求項１ないし請求項７のいずれか１つに記載の楽音再生装置。
【発明の詳細な説明】
【０００１】
【発明の属する技術分野】
この発明は、楽曲情報および映像情報を再生する楽音再生装置であって、モニタにカラオケ用の背景映像および字幕映像を表示するカラオケ装置として好適なものに関する。
【０００２】
【従来の技術】
従来、カラオケ装置として、曲の歌詞を示す字幕映像および背景映像をモニタに表示し、それらの映像を見ながらカラオケするものが知られている。
また、これらカラオケ装置のうち、曲の演奏終了から設定時間を超えたときに広告などのサービス情報をモニタに表示するものが知られている（特開平６−１０２８９２号公報）。
【０００３】
【発明が解決しようとする課題】
ところで、広告などのサービス情報には、総ての年齢層を対象としたものや、学生、社会人など、特定の年齢層を対象としたものがある。
しかし、上記従来のものは、サービス情報を提供する対象となる年齢層にかかわらず、設定時間になった場合にサービス情報を一律に表示するものであり、年齢層に合ったサービス情報を表示できないため、サービス情報を提供することによる効果に乏しいという問題がある。
そこで、本発明者は、カラオケ店の利用者層は、時間帯によって異なる、つまり、時間帯によって利用者層を特定することができることに着目し、広告などのサービス情報を時間帯別に再生できる楽音再生装置を考えた。
【０００４】
したがって、本発明は、楽曲情報および映像情報以外のサービス情報を時間帯別に再生できる楽音再生装置を実現することを目的とする。
【０００５】
【課題を解決するための手段】
本発明は、上記目的を達成するため、請求項１に記載の発明では、楽曲情報および映像情報を再生する再生手段が備えられた楽音再生装置において、前記楽音再生装置を用いる者の客層を示す客層情報と、前記客層に基づいて設定された時間帯とを対応付けて設定した設定手段と、所定の時間帯になったときに、その所定の時間帯に対応する客層情報を前記設定手段から検出し、その検出された客層情報と対応付けられたサービス情報を再生するサービス情報再生手段と、が備えられたという技術的手段を採用する。
【０００６】
【０００７】
請求項２に記載の発明では、請求項１に記載の楽音再生装置において、前記サービス情報再生手段は、前記サービス情報を前記所定の時間帯において前記楽曲情報のうちの所定の楽曲情報の再生が終了したときに再生するものであるという技術的手段を採用する。
【０００８】
請求項３に記載の発明では、請求項１に記載の楽音再生装置において、前記サービス情報再生手段は、前記サービス情報を前記所定の時間帯において前記楽曲情報が所定の時間再生されないときに再生するものであるという技術的手段を採用する。
【０００９】
請求項４に記載の発明では、請求項１ないし請求項３のいずれか１つに記載の楽音再生装置において、前記サービス情報を前記所定の時間帯内で再生する頻度を設定する再生頻度設定手段が備えられたという技術的手段を採用する。
【００１０】
請求項５に記載の発明では、請求項１ないし請求項４のいずれか１つに記載の楽音再生装置において、前記設定手段の設定内容を変更する設定内容変更手段が備えられたという技術的手段を採用する。
【００１１】
請求項６に記載の発明では、請求項５に記載の楽音再生装置において、前記再生手段を遠隔操作する遠隔操作手段が備えられており、この遠隔操作手段には、前記設定内容変更手段が設けられたという技術的手段を採用する。
【００１２】
【００１３】
請求項７に記載の発明では、請求項１ないし請求項６のいずれか１つに記載の楽音再生装置において、前記サービス情報は、記録媒体に記録されており、前記サービス情報再生手段は、前記記録媒体に記録された前記サービス情報を時間帯別に再生するものであるという技術的手段を採用する。
【００１４】
請求項８に記載の発明では、請求項７に記載の楽音再生装置において、前記楽曲情報および映像情報のうち少なくとも１つが前記記録媒体に記録されており、前記再生手段は、前記楽曲情報および映像情報のうち少なくとも１つを前記記録媒体から読み出して再生するものであるという技術的手段を採用する。
【００１５】
請求項９に記載の発明では、請求項１ないし請求項７のいずれか１つに記載の楽音再生装置において、前記楽曲情報を通信回線を介して受信する楽曲情報受信手段が備えられており、前記再生手段は、前記楽曲情報受信手段により受信された楽曲情報を再生するものであるという技術的手段を採用する。
【００１６】
【作用】
請求項１ないし請求項９に記載の発明では、楽曲情報および映像情報以外のサービス情報を上記楽曲情報および映像情報を再生する再生手段により時間帯別に再生するサービス情報再生手段が備えられているため、上記サービス情報を時間帯別に再生することができる。
したがって、時間帯別に異なるサービス情報を再生することが可能である。
【００１７】
特に、上記時間帯は、上記楽音再生装置を用いる者の客層に基づいて設定されているため、上記サービス情報を時間帯別、つまり、客層別に再生することができる。
そして、上記サービス情報再生手段は、所定の時間帯になったときに、その所定の時間帯に対応する客層情報を、客層を示す客層情報が含まれたサービス情報の上記客層情報と時間帯とを対応付けて設定した設定手段から検出し、この検出された客層情報が含まれるサービス情報を再生する。
つまり、たとえば、後述する発明の実施の形態に記載するように、サービス情報たる広告を時間帯別にモニタに表示することができる。特に、カラオケ店における利用者層は、時間帯によって略定まっているため、時間帯別に利用者層に適合した広告を流すことにより、広告効果を高めることができる。
【００１８】
また、請求項２に記載の発明では、上記サービス情報再生手段は、上記サービス情報を上記所定の時間帯において上記楽曲情報のうちの所定の楽曲情報の再生が終了したときに再生するものであるため、上記サービス情報を上記所定の楽曲情報の再生の途中で再生するのを防止することができる。
つまり、たとえば、カラオケを１曲歌い終わったときに広告を表示することができるので、歌い手の気分を害することなく広告効果を出すことができる。
【００１９】
さらに、請求項３に記載の発明では、上記サービス情報再生手段は、上記サービス情報を上記所定の時間帯において上記楽曲情報が所定の時間再生されないときに再生するものであるため、楽曲情報および映像情報を再生する再生手段が何も再生しない空き時間を利用して上記サービス情報を再生することにより、再生手段の稼働率を高めることができる。
【００２０】
請求項４に記載の発明では、上記サービス情報を上記所定の時間帯内で再生する頻度を設定する再生頻度設定手段が備えられているため、上記サービス情報の再生するに要する時間、楽音再生装置の利用時間などに応じてサービス情報の再生頻度を設定することができる。
つまり、たとえば、後述する発明の実施の形態に記載するように、１曲の演奏終了毎に、２曲の演奏終了毎にというように、広告の表示頻度を変更することができる。
【００２１】
請求項５に記載の発明では、上記設定手段の設定内容を変更する設定内容変更手段が備えられているため、楽音再生装置の設置された地域や曜日などに応じて上記客層情報と時間帯との対応関係を変更することができる。
つまり、たとえば、後述する発明の実施の形態に記載するように、日曜日の１２時から１８時まではファミリー層を対象とした時間帯に変更することができる。
【００２２】
請求項６に記載の発明では、上記再生手段を遠隔操作する遠隔操作手段が備えられており、この遠隔操作手段には、上記設定内容変更手段が設けられているため、離れた位置から、上記客層情報と時間帯との対応関係を変更することができる。
【００２３】
請求項７に記載の発明では、上記設定内容変更手段は、上記客層情報を指定するものであるため、たとえば、後述する発明の実施の形態に記載するように、カラオケ店側が送信器を客に渡す前に、送信器に設けられた設定内容変更手段たるスイッチを操作して客層に合った設定内容を変更しておくことにより、客が送信器を使用したときに、その変更された設定内容が制御装置に受信され、客層に合った広告を表示することができる。
【００２４】
請求項８に記載の発明では、上記サービス情報は、記録媒体に記録されており、上記サービス情報再生手段は、上記記録媒体に記録された上記サービス情報を時間帯別に再生するものであるため、上記記録媒体を交換することにより、新しいサービス情報に更新することができる。また、別の異なるサービス情報を再生することができる。
【００２５】
請求項９に記載の発明では、上記楽曲情報および映像情報のうち少なくとも１つが上記記録媒体に記録されており、上記再生手段は、上記楽曲情報および映像情報のうち少なくとも１つを上記記録媒体から読み出して再生するものであるため、上記楽曲情報および映像情報のうち少なくとも１つと上記サービス情報とが記録された１つの記録媒体を用いて、上記楽曲情報、映像情報およびサービス情報のうちのいずれかの情報を再生することができる。
つまり、たとえば、後述する発明の実施の形態に記載するように、カラオケの背景映像とサービス情報とを１つの光ディスクに記録させておくことにより、その光ディスクを再生する装置も１つでよいため、装置の構成を簡易にできることから、装置の信頼性を高めることができる。
【００２６】
請求項１ないし請求項８のいずれか１つに記載の技術的手段は、請求項５に記載の発明のように、上記楽曲情報を通信回線を介して受信する楽曲情報受信手段が備えられており、上記再生手段は、上記楽曲情報受信手段により受信された楽曲情報を再生するものであるという楽音再生装置に用いることにより、特に効果を奏する。
たとえば、後述する発明の実施の形態に記載するように、通信回線を介してカラオケ曲が提供される、いわゆる通信カラオケ装置では、光ディスクを再生して背景映像を表示しているため、その光ディスクにサービス情報を記録しておくことにより、背景映像およびサービス情報の両者を１つの光ディスク再生装置で再生することができる。
つまり、サービス情報が映像により表示するものである場合は、情報量が多いため、通信回線を介して送信することが困難であるが、光ディスクに記録させておくことにより、モニタへ表示することができる。
【００２７】
【発明の実施の形態】
以下、本発明の楽音再生装置の一実施形態について図を参照して説明する。
なお、以下の実施形態では、楽音再生装置として、通信回線を利用して曲が提供される、いわゆる通信カラオケ装置を代表に説明する。
図１は、本発明第１実施形態のカラオケ装置の主要構成を示す外観説明図、図２（ａ）は、カラオケ装置に備えられた制御装置の前面パネルの説明図、同図（ｂ）は、制御装置の背面パネルの説明図である。
【００２８】
図１に示すように、カラオケ装置１０には、映像情報たるカラオケ用の背景映像と、歌詞を示す字幕映像と、サービス情報たる広告用の映像とを表示するＣＲＴモニタ（以下、ＣＲＴと略称する）１２と、歌い手のモニタ用のＣＲＴ１４とが備えられている。また、通信回線を介しての楽曲情報たる曲データの蓄積、選曲、曲の予約などの制御、マイク８１，８２から入力される音声と楽曲たるカラオケ曲とのミキシング、音声とカラオケ曲との音量バランス、エコー調整、ディレイ調整、音程の変更（キーチェンジ）などの音声制御、ならびに、ＣＲＴ１２，１４に表示される映像の切替え、合成、分割などの映像制御などの各種制御を行う制御装置２０が備えられている。
【００２９】
さらに、制御装置２０から出力される音声信号の増幅、高音、低音の制御（トーンコントロール）などを行うアンプ１６と、このアンプ１６から出力される音声信号を音として再生する１組のスピーカ８３，８３と、天井用の１組のスピーカ８０，８０と、制御装置２０を遠隔操作する遠隔操作手段たる送信器６０とが備えられている。
【００３０】
次に、制御装置２０の装備について図２を参照して説明する。
図２（ａ）に示すように、制御装置２０の前面パネルには、マイク８１，８２から入力される音声とカラオケ曲との音量のバランス調整を行うためのバランス調整つまみ２１と、エコーのかかり具合を調整するためのエコー調整つまみ２２と、ディレイのかかり具合を調整するためのディレイ調整つまみ２３とが設けられている。
【００３１】
さらに、送信器６０から送信される光信号を受光するための受光部２４と、選曲された曲の曲番号を表示する曲番号表示体２５と、変更されたキーの位置を表示するキー表示部２６と、マイク８１，８２のジャックを差し込むマイク端子２７，２８とが設けられている。また、広告の対象となる客層（以下、ターゲット層と略称する）を設定する広告時間帯設定ボタン２９と、広告の表示頻度を設定する広告頻度設定ボタン３０とが設けられている。
【００３２】
一方、図２（ｂ）に示すように、制御装置２０の背面パネルには、カラオケ用の音楽データおよび字幕映像データから構成される楽曲情報たる曲データを受信するための電話回線３１（図１、図５参照）を接続する電話回線接続端子３２が設けられており、その右方には、ＣＲＴ１２の映像入力端子（図示省略）と接続される映像出力端子３４と、ＣＲＴ１４の映像入力端子（図示省略）と接続される映像出力端子３５とが設けられている。また、背面パネルの左端には、アンプ１６の音声入力端子（図示省略）と接続される音声出力端子３６が設けられている。
【００３３】
次に、送信器６０の構成について、その外観構成を示す図３を参照して説明する。
送信器６０の右上には、制御装置２０の電源をＯＮ、ＯＦＦする電源ボタン６１が設けられており、その下側には、選曲番号などを表示する液晶ディスプレイ６２が設けられている。この液晶ディスプレイ６２の下側には、スピーカ８３，８３、スピーカ８０，８０から出される音量を調整する音量調整ボタン６３が設けられており、その下側には、曲の演奏を開始させる演奏ボタン６４と、その演奏を停止させる停止ボタン６５が設けられている。それらボタンの下側には、選曲の開始、選曲の確定を行う選曲ボタン６６と、選曲の取消しを行う取消ボタン６７とが設けられている。
【００３４】
それらボタンの下側には、選曲する曲の番号を入力するＡ、Ｂ、および０〜９のテンキー６８と、キーチェンジを行うキーチェンジボタン６９と、エコーのかかり具合を調整するエコー調整ボタン７０とが設けられている。このエコー調整ボタン７０の下側には、広告時間帯設定ボタン７１が設けられており、この広告時間帯設定ボタン７１の下側には、広告の表示頻度を設定するための広告頻度設定ボタン７２が設けられている。
なお、上記各ボタンを押すと、各ボタンそれぞれの機能に対応する光信号が発信窓７３に内蔵されたＬＥＤから発せられ、その光信号は、制御装置２０の受光部２４により受光される。
【００３５】
次に、上記制御装置２０の制御系の構成について、それをブロックで示す図４を参照して説明する。
制御装置２０には、時間帯別に所定のターゲット層に広告情報を再生するための制御、上記音声制御、映像制御、曲の演奏順序の予約および演奏順序の変更などをプログラムにしたがって行うＣＰＵ３７が備えられている。このＣＰＵ３７には、予約された曲の番号および曲名データを一時保存するＲＡＭ３８と、この制御装置２０に接続された電話回線３１を利用するための電話番号、送信器６０から送信されるコマンドに対応する制御コマンドなどが記憶されたＲＯＭ３９と、リアルタイムカウンタ（以下、ＲＴＣと略称する）４１とが接続されている。
【００３６】
また、ＣＰＵ３７には、曲を提供するホストコンピュータ８４から電話回線３１および電話回線接続端子３２を介して受信され、楽曲情報受信手段たる通信用モデム４２によりデジタル信号に変換された曲データを蓄積するハードディスクメモリ４３が接続されている。このハードディスクメモリ４３には、上記各制御、後述する各回路やＤＶＤ（Ｄｅｇｉｔａｌ  Ｖｉｄｅｏ  Ｄｉｓｃ）再生装置４０などの動作を制御する制御プログラムなどが記録されている。
なお、ＤＶＤ再生装置４０は、可搬性を有する記録媒体たるＤＶＤを取り出して他のＤＶＤに交換できるように構成されている。
【００３７】
ここで、ＤＶＤの記憶内容について、それを模式的に示す図５を参照して説明する。
ＤＶＤ１００は、約４．７ＧＢ（ギガバイト）の記憶容量を有する光ディスクであり、背景映像データ１０１と広告データ１０２とが記憶されている。広告データ１０２は、一般向け広告データ、主婦層を対象とした主婦向け広告データ、中高生向け広告データなどの客層別の広告データと、中高生およびＯＬを対象とした広告データなどの複数の客層を対象とした広告データとから構成される。また、各広告データには、００Ｈないし１０Ｈの客層情報たるターゲット層コードが付されている。
【００３８】
このターゲット層コードは、ＤＶＤ１００がＤＶＤ再生装置４０によって再生されたときにＲＡＭ５１に記憶される。
また、ＣＰＵ３７には、データの書込みおよび読出しが可能なＥＥＰＲＯＭ５２およびＥＥＰＲＯＭ５３が接続されている。ＥＥＰＲＯＭ５２には、図６に示す、時間帯と、ターゲット層と、ターゲット層コードとを対応させて設定した設定手段たる時間帯テーブル８６が記憶されている。ターゲット層コードは、図７に示すように、８ビットのデータから構成される。また、ＥＥＰＲＯＭ５２には、図８に示す、広告頻度テーブル８８が記憶されている。この広告頻度テーブル８８には、広告データを再生するタイミングが複数種類設定されており、各タイミングには、Ｔ０ないしＴ１０の広告タイミングコードが付されている。また、ＥＥＰＲＯＭ５３には、広告時間帯設定ボタン７１、または、広告頻度設定ボタン７２により設定されたデータが記憶される。
【００３９】
さらに、図４に示すように、ＣＰＵ３７には、ハードディスクメモリ４３に蓄積された曲データ中のＭＩＤＩデータを入力するとともに、そのＭＩＤＩデータに対応する音源データをＭＩＤＩ音源４４１から抽出し、その抽出された音源データをアンプ１６によって増幅可能なアナログの音楽信号に変換したり、マイク８１，８２から入力された音声信号にエコーやディレイをかけたりする音声制御回路４４が接続されている。
【００４０】
また、ＣＰＵ３７には、ＤＶＤ再生装置４０から出力される背景映像データ１０１と、ハードディスクメモリ４３に記憶された曲データ中の字幕映像データとを入力し、ＣＲＴ１２、１４に表示される映像として、背景映像中に字幕映像や曲番号および曲目の映像がスーパーインポーズされた映像を作成したり、それら各映像の切替え、合成および分割などの制御を行う映像制御回路４５が接続されている。
【００４１】
さらに、ＣＰＵ３７には、受光部２４により受光された光信号をデジタルデータに変換する受光回路４６と、曲番号表示体２５に曲番号を表示するための表示信号と、キー表示部２６にキーの位置を表示するための表示信号とを作成する表示回路４７が接続されている。また、ＣＰＵ３７には、つまみ２１ないし２３の調整により変化した信号の入力を行う入力回路４８が接続されている。
なお、制御装置２０、アンプ１６、ＣＲＴ１２，１４、スピーカ８０，８０およびスピーカ８３，８３が、本発明の再生手段に相当する。
【００４２】
次に、このカラオケ装置１０が起動しているときに、時間帯別に広告情報をＤＶＤ１００から読み出してＣＲＴ１２，１４に表示するためのＣＰＵ３７の制御内容について、その制御内容を示す図９ないし図１１のフローチャートを参照して説明する。
最初に、カラオケを行う場合のカラオケ装置１０の動作を説明する。
まず、利用者が、送信器６０を制御装置２０に向けて、電源ボタン６１を押すと、制御装置２０の電源が投入され、これに連動してＤＶＤ再生装置４０、ＣＲＴ１２、１４およびアンプ１６が起動する。そして、送信器６０の選曲ボタン６６を押すと、選曲可能状態になり、次にテンキー６８を押して歌いたい曲の曲番号を入力する。このとき、テンキーを押す毎に、その押したキーのＡ、Ｂおよび０〜９の符号が、液晶ディスプレイ６２と、ＣＲＴ１２、１４と、制御装置２０の曲番号表示体２５とに表示され、曲番号の確認をできるようになっている。
なお、選曲中であることは、表示された符号が点滅表示されることにより確認できるようになっている。
【００４３】
そして、曲番号の入力が終了し、演奏ボタン６４を押すと入力した曲番号が確定されるとともに、表示された符号が点滅を中止した後に消え、ＣＰＵ３７は、その曲番号に対応する曲データの送信要求を、通信用モデム４２、電話回線接続端子３２および電話回線３１を介してホストコンピュータ８４に対して行う。すると、ホストコンピュータ８４は、ＲＯＭ３９に記憶されている電話番号を読み出して、その電話番号が契約された正規のものであるかを確認する作業を行い、その確認後に上記要求された曲データが、ホストコンピュータ８４から電話回線３１を介して受信され、受信された曲データは、ハードディスクメモリ４３に蓄積される。
【００４４】
続いて、その蓄積が終了すると、ＣＰＵ３７により、曲データの読出しが行われ、曲データに含まれるＭＩＤＩデータは、音声制御回路４４に入力されるとともに、そのＭＩＤＩデータに対応する音源データがＭＩＤＩ音源４４１から抽出され、その抽出された音源データは、アンプ１６によって増幅可能なアナログの音楽信号に変換される。また、曲データに含まれる字幕映像データは、映像制御回路４５により、ビットイメージデータに展開される。また、曲データには、曲のジャンルを特定するジャンルデータが含まれており、このジャンルデータに対応する背景映像データ１０１が、ＤＶＤ再生装置４０により再生され、この再生された背景映像データ１０１は、映像制御回路４５により、ビットイメージデータに展開される。
【００４５】
そして、ビットイメージデータに展開された背景映像データ１０１および字幕映像データは、映像制御回路４５により合成される。この合成は、たとえば、背景映像に字幕映像をスーパーインポーズしてＣＲＴ１２、１４に表示する形で行われる。
一方、マイク８１、または、マイク８２から入力された音声は、音声信号となって音声制御回路４４に入力され、上記音楽信号とミキシングされる。このミキシングされたミキシング信号は、アンプ１６へ出力され、増幅された後にスピーカ８３，８３、スピーカ８０，８０へ出力され、両スピーカによって音楽信号および音声信号が再生される。
このように、利用者は、自分の選んだ曲をＣＲＴ１２、１４の画面に映し出された背景映像および字幕映像を見ながらマイク８１、または、マイク８２を通して歌う（カラオケする）ことができる。
【００４６】
次に、時間帯別にＤＶＤ１００から客層別の広告データ１０２を読み出してＣＲＴ１２，１４に表示する場合のＣＰＵ３７の制御内容について図９を参照して説明する。
なお、現在時間は、ＲＴＣ４１によりカウントされており、図６に示す時間帯テーブル８６に設定された時間帯の開始時間になると、その時間帯に対応する時間帯コードがＣＰＵ３７により読み出されてＥＥＰＲＯＭ５３に格納される。たとえば、１２時ないし１５時の時間帯の開始時間である１２時になると、時間帯コード０２Ｈが読み出されてＥＥＰＲＯＭ５３に格納され、次の１５時ないし１８時の時間帯の開始時間である１５時になると、ＥＥＰＲＯＭ５３に格納されている時間帯コードは、０２Ｈから０１Ｈに更新される。
【００４７】
まず、ＣＰＵ３７は、ＤＶＤ再生装置４０がＤＶＤ１００を再生するとき、ＤＶＤ１００に広告データ１０２が記憶されているか否かを判定し（ステップ１００）、記憶されている場合には、ＤＶＤ１００に記憶されている広告データ１０２に付されている一連のターゲット層コード１０３を読出してＲＡＭ５１に格納する（ステップ１１０）。続いて、ターゲット層コード１０３の読み出しが終了すると（ステップ１２０）、ＥＥＰＲＯＭ５３に記憶されている広告タイミングコードを読み出す（ステップ１３０）。
【００４８】
ここでは、広告タイミングコードとして、図８に示す広告頻度テーブル８８の中のＴ１、つまり、曲間に広告データを再生するタイミングがＥＥＰＲＯＭ５３に記憶されているものとすると、曲の演奏が終了したことが検出されると（ステップ１４０）、ＥＥＰＲＯＭ５３に記憶されている時間帯コードを読み出し（ステップ１５０）、上記読出された時間帯コードに対応するコードをＲＡＭ５１に格納されている一連のターゲット層コードの中から検索し（ステップ１６０）、その検索されたターゲット層コードに対応する広告データをＤＶＤ１００から読み出してその映像をＣＲＴ１２，１４に表示するとともに、アンプ１６、スピーカ８０，８０およびスピーカ８３，８３により音を再生する（ステップ１７０）。
【００４９】
たとえば、時間帯コードを示すコードが、時間帯１２時ないし１５時を示すコード０２Ｈである場合には、そのコード０２Ｈに対応する主婦向け広告データをＤＶＤ１００から読み出して表示する。また、１２時ないし１５時の時間帯において、主婦向け広告以外に一般向け広告をも流したい場合には、時間帯テーブル８６の１２時ないし１５時に対応するコードとして、０２Ｈの他に００Ｈを追加設定しておくことにより、一般向け広告をも表示することができる。
【００５０】
このように、本第１実施形態のカラオケ装置によれば、時間帯別に客層に適合した広告をＣＲＴに表示することができるため、ターゲットを絞らずに広告するものよりも、広告の効果を高めることができる。
【００５１】
次に、広告の時間帯を変更する場合のＣＰＵ３７の制御について図１０のフローチャートを参照して説明する。
まず、送信器６０の広告時間帯設定ボタン７１が押されると（ステップ２００）、ＣＲＴ１２，１４に「ターゲット層の指定時間を変更しますか」と表示する（ステップ２１０）。続いて、「はい」を意味する選曲ボタン６６が押されると（ステップ２２０）、時間帯テーブル８６をＣＲＴ１２，１４に表示する（ステップ２３０）。このとき、１つの時間帯の欄を覆うテロップが表示され、音量調整ボタン６３を操作して変更したい時間帯の欄へテロップを移動させる。
【００５２】
そして、テンキー６８を用いて変更したい時間帯の数字を書き換えると（ステップ２４０）、その変更された部分の数字が変更された数字に変わり（ステップ２５０）、ＥＥＰＲＯＭ５２に記憶されている時間帯テーブル８６の数字が書き換えられる（ステップ２６０）。このように、ステップ２４０ないしステップ２６０を繰り返して数字の入力を行い、設定終了を示す広告時間帯設定ボタン７１が押されると（ステップ２７０）時間帯変更処理を終了する。
このように、広告情報を表示する時間帯を変更することができるため、曜日や時間帯など、その日毎の客層の変動に対応することができる。
【００５３】
次に、広告情報を表示する頻度を変更する場合のＣＰＵ３７の制御について図１１のフローチャートを参照して説明する。
まず、送信器６０の広告頻度設定ボタン７２が押されると（ステップ３００）、ＣＲＴ１２，１４に「広告する頻度を変更しますか」と表示される（ステップ３１０）。続いて、「はい」を意味する選曲ボタン６６が押されると（ステップ３２０）、広告頻度テーブル８８がＣＲＴ１２，１４に表示される（ステップ３３０）。このとき、１つの項目を覆うテロップが表示され、音量調整ボタン６３を操作して変更したい頻度を示す項目へテロップを移動させる。
【００５４】
そして、選択終了を示す広告頻度設定ボタン７２が押されると（ステップ３４０）、ＥＥＰＲＯＭ５２に記憶されている広告頻度テーブルが書き換えられる（ステップ３５０）。
このように、広告情報を表示する頻度を変更することができるため、たとえば、表示時間の短い広告の場合には、表示頻度を高く設定し、逆に表示時間の長いものの場合には、表示頻度を低く設定するなどの変更を行うことができる。
つまり、カラオケ本来の楽しみを害さないように広告することができる。
【００５５】
次に、本発明第２実施形態のカラオケ装置について図１２ないし図１７を参照して説明する。
本実施形態のカラオケ装置は、カラオケ店において、カラオケルーム毎に、そのカラオケルームを利用する客層に合った広告を流すことができることを特徴とする。
カラオケ店の多くは、店側で送信器６０を管理しており、客が受け付けを済ませてカラオケルームへ行く際に送信器６０を手渡している。
つまり、送信器６０を手渡す際に客層を知ることができるため、送信器６０に客層を設定するスイッチを設け、送信器６０から送信される送信信号に客層を特定するデータを含ませておくことにより、制御装置２０において客層を判断することができる。
【００５６】
まず、送信器６０の構成について、送信器６０の裏面を示す図１２および送信器６０の制御系の構成を示す図１４を参照して説明する。
図１２に示すように、送信器６０の裏面には、設定内容変更手段たるスライド式のスイッチ９１ないし９５が設けられている。また、送信器６０の下部には、電池収納蓋９６が開閉自在に取付けられており、その電池収納蓋９６の内部には、送信器６０の電源である電池９７が着脱自在に収納されている。
【００５７】
上記スイッチ９１ないし９５のＯＮ、または、ＯＦＦを組み合わせることにより、図１３に示すように、利用者層（客層情報）を特定することができる。たとえば、スイッチ９１ないし９５の総てがＯＦＦである場合は、利用者層が一般であることを示し、図１２に示すように、スイッチ９５のみがＯＮである場合は、利用者層が主婦であることを示す。
【００５８】
次に、送信器６０の制御系の構成について、それをブロック図で示す図１４を参照して説明する。
図１４に示すように、送信器６０には、上記各ボタンの有する機能に対応する信号を送信するための各種制御を行うＣＰＵ７４が内蔵されている。このＣＰＵ７４には、上記スイッチ９１ないし９５により設定された利用者層コードを記憶するＲＡＭ７５と、上記各種ボタンおよびスイッチに対応する信号を構成するコマンドなどが記憶されたＲＯＭ７６と、選曲された曲の番号などを液晶ディスプレイ６２に表示するための表示信号を作成する表示回路７８とが接続されている。
また、ＣＰＵ７４には、上記ＲＯＭ７６に記憶されたコマンドデータに対応する波形を有する送信信号を生成する波形生成回路７９が接続されている。
【００５９】
ここで、送信器６０から送信される送信信号を構成するコマンドコードについて、その構成を示す図１５を参照して説明する。
コマンドコード２００は、送信器６０から送信された送信信号であることを示すヘッダコード２０１と、送信器６０の種類を示すカスタムコード２０２と、どのボタン、または、スイッチを押したことによる送信信号であるかを示すデータコード２０３と、上記スイッチ９１ないし９５の組み合わせにより示される利用者コード２０４とから構成される。
【００６０】
次に、本第２実施形態のカラオケ装置における広告表示のためのＣＰＵ７４およびＣＰＵ３７による制御について図１６ないし図１８を参照して説明する。
図１６は、ＣＰＵ７４による制御を示すフローチャートであり、図１７および図１８は、ＣＰＵ３７による制御を示すフローチャートである。
まず、ＣＰＵ７４は、電池９７が取り外されたか否かを判定する（ステップ４００）。つまり、利用者コードを記憶するＲＡＭ７５は、電池９７の電源により、その記憶を維持しているため、前の記憶内容を消すために電池９７を取り外す。
【００６１】
続いて、電池が取り外された場合には、スイッチ９１ないし９５のスイッチング状態を読み込んでＲＡＭ７５に格納する（ステップ４１０）。これにより、新たな利用者コードがＲＡＭ７５に記憶される。
そして、送信器６０から送信信号が送信されると、制御装置２０のＣＰＵ３７は、送信信号を受信すると（ステップ４２０）、送信信号に含まれる利用者コードを読み込み（ステップ４３０）、その読み込んだ利用者コードが変更されているかを判定し（ステップ４４０）、変更されている場合には、その変更された利用者コードをＥＥＰＲＯＭ５３に格納する（ステップ４５０）。
【００６２】
そして、ＤＶＤ再生装置４０によりＤＶＤ１００が再生されると、ＤＶＤ１００に広告データ１０２が記憶されているかが判定され（ステップ５００）、広告データ１０２が記憶されている場合には、広告データ１０２に付されているターゲット層コード１０３を読み出してＲＡＭ５１に格納する（ステップ５１０）。続いて、ターゲット層コードの読み出しが終了すると（ステップ５２０）、ＥＥＰＲＯＭ５２から広告タイミングコードを読み出す（ステップ５３０）。
【００６３】
ここでは、広告頻度データは、Ｔ９であるとする。つまり、３分以上、選曲が行われない場合に広告を表示するものとする。
ＲＴＣ４１のカウント値が３分を超えると（ステップ５４０）、ＥＥＰＲＯＭ５３から利用者コードを読み出し（ステップ５５０）、その利用者コードに対応するターゲット層コードの付された広告データがＤＶＤ１００から読み出され、その映像がＣＲＴ１２，１４に表示されるとともに、アンプ１６、スピーカ８０，８０およびスピーカ８３，８３により音が再生される（ステップ５６０）。
このように、本第２実施形態のカラオケ装置によれば、送信器６０に設けたスイッチ９１ないし９５によって利用者層の特定を行い、送信器６０から制御装置２０へ送信される送信信号に基づいて利用者コードに対応した客層を対象とする広告を表示することができる。
つまり、送信器６０を利用客に渡す際に、その利用客の客層を特定し、その客層を対象とする広告を表示することができるため、前記第１実施形態のカラオケ装置のように、ある時間帯になると、カラオケルームの全部に同じ広告が流れるものと異なり、カラオケルーム単位で客層に応じた広告を流すことができる。
したがって、客層を細かく特定できるため、広告の効果をより一層高めることができる。
【００６４】
なお、上記客層別の広告データの他に、男性向けおよび女性向けの広告データを加えることもできる。この構成によれば、カラオケ装置を利用する者が、女性ばかりのグループであるなど、予め性別が分かっている場合に広告の効果を高めることができる。また、上記各実施形態では、楽音再生装置として通信カラオケ装置を代表に説明したが、曲データおよび映像データが記録された記録媒体を再生するカラオケ装置などにも本発明を適用することができる。
ところで、ＣＰＵ３７により実行されるステップ１００ないしステップ１７０、または、ステップ４００ないしステップ５６０が、本発明のサービス情報再生手段として機能する。また、ステップ３００ないしステップ３５０が本発明の再生頻度設定手段として機能する。さらに、ステップ２００ないしステップ２７０が本発明の設定内容変更手段として機能する。
【００６５】
【発明の効果】
以上のように、本発明によれば、時間帯別にサービス情報を再生することができるため、その時間帯により特定される客層を対象としたサービス情報を再生することができる。
したがって、時間帯に関係なくサービス情報を再生するものよりも、サービス情報の提供による効果を高めることができる。
【図面の簡単な説明】
【図１】  本発明第１実施形態のカラオケ装置の主要構成を示す外観説明図である。
【図２】  （ａ）は、カラオケ装置に備えられた制御装置の前面パネルの説明図であり、（ｂ）は、制御装置の背面パネルの説明図である。
【図３】  カラオケ装置に備えられた送信器の説明図である。
【図４】  制御装置の制御系の構成を示すブロック図である。
【図５】  ＤＶＤ１００の記憶内容を示す説明図である。
【図６】  時間帯テーブル８６の説明図である。
【図７】  ターゲット層コードの説明図である。
【図８】  広告頻度テーブル８８の説明図である。
【図９】  本発明第１実施形態におけるＣＰＵ３７の広告データ再生のための制御内容を示すフローチャートである。
【図１０】  本発明第１実施形態におけるＣＰＵ３７の時間帯テーブル書換えのための実行内容を示すフローチャートである。
【図１１】  本発明第１実施形態におけるＣＰＵ３７の広告頻度テーブル書換えのための実行内容を示すフローチャートである。
【図１２】  送信器６０の裏面の説明図である。
【図１３】  スイッチの組み合わせと利用者層コードとの関係を示す説明図である。
【図１４】  送信器６０の制御系を示すブロック図である。
【図１５】  コマンドコードの構成を示す説明図である。
【図１６】  本発明第２実施形態におけるＣＰＵ７４の実行内容を示すフローチャートである。
【図１７】  本発明第２実施形態におけるＣＰＵ３７の実行内容を示すフローチャートである。
【図１８】  本発明第２実施形態におけるＣＰＵ３７の実行内容を示すフローチャートである。
【符号の説明】
１０          カラオケ装置
１２、１４    ＣＲＴ
１６          アンプ
２０          制御装置
３１          電話回線
３７、７４    ＣＰＵ
４０          ＤＶＤ再生装置
４３          ハードディスクメモリ
４４          音声制御回路
４５          映像制御回路
６０          送信器
２９、７１    広告時間帯設定ボタン
３０、７２    広告頻度設定ボタン
８１、８２    マイク
８４          ホストコンピュータ
９１〜９５    スイッチ
９７          電池
１００        ＤＶＤ
１０３        ターゲット層コード
【図１】
0003963503.tif 000002
【図２】
0003963503.tif 000003
【図３】
0003963503.tif 000004
【図４】
0003963503.tif 000005
【図５】
0003963503.tif 000006
【図６】
0003963503.tif 000007
【図７】
0003963503.tif 000008
【図８】
0003963503.tif 000009
【図９】
0003963503.tif 000010
【図１０】
0003963503.tif 000011
【図１１】
0003963503.tif 000012
【図１２】
0003963503.tif 000013
【図１３】
0003963503.tif 000014
【図１４】
0003963503.tif 000015
【図１５】
0003963503.tif 000016
【図１６】
0003963503.tif 000017
【図１７】
0003963503.tif 000018
【図１８】
0003963503.tif 000019